(57)【要約】【課題】  録画済の大量の番組コンテンツからユーザの嗜好に最も適合した番組コンテンツのタイトルを推薦することができる放送記録装置及び放送記録方法を提供する。【解決手段】  放送信号を受信し復調して番組信号を出力するチューナ部１２，１３と、チューナ部からの複数の番組信号をそれぞれ複数のタイトルで管理して記録する記録部２１，１８と、記録部で記録した番組信号を再生する再生部２３と、記録部の記録処理による録画傾向や再生部の再生処理による再生傾向で示される嗜好情報を生成する嗜好検出部４２と、嗜好検出部で生成された嗜好情報に応じて、タイトル毎に推奨値を算出し、推奨値が所定値以上であり、かつ、推奨値が一番高いタイトルに対し所定の表示を付加した表示を行う予約録画部・嗜好検出部・再生推薦部４２をもつ放送記録装置。【選択図】図１
2008205623.tif 000002
【特許請求の範囲】
【請求項１】
放送信号を受信し、受信した放送信号を復調して番組信号を出力するチューナ部と、
前記チューナ部からの複数の前記番組信号をタイトル毎に管理して記録する記録部と、
前記記録部で記録した前記番組信号を再生する再生部と、
前記記録部の記録処理による記録傾向及び前記再生部の再生処理による再生傾向で示される嗜好情報を生成する嗜好検出部と、
前記嗜好検出部で生成された前記嗜好情報に基づいてタイトル毎に推奨値を算出し、前記推奨値が所定値以上であり、かつ、前記推奨値が一番高いタイトルに対し所定の表示を付加した表示を行う再生推薦部と、
を具備することを特徴とする放送記録装置。
【請求項２】
請求項１に記載の放送記録装置において、
前記記録部は、前記タイトルを所定のフォルダに分類して記録し、前記再生推薦部は、前記フォルダの表示を行うとき、必要がある場合は前記フォルダをフォルダ状のアイコンとして表示する際に前記所定の表示を付加して表示することを特徴とする放送記録装置。
【請求項３】
請求項２に記載の放送記録装置において、
前記フォルダ内に記録されているタイトルをアイコンを用いてリスト表示する場合、必要があるときは前記タイトルの表示に前記所定の表示を付加して表示することを特徴とする放送記録装置。
【請求項４】
請求項２に記載の放送記録装置において、
前記フォルダ内に分類されているタイトルのうち、新たに記録されたタイトルがあるときは、新規のタイトルである旨を示す表示を前記フォルダ状のアイコンの表示に付加して表示することを特徴とする放送記録装置。
【請求項５】
請求項２に記載の放送記録装置において、
前記フォルダは、予め記録可能な容量を設定することができ、予め設定されたタイトルの録画予約の使用容量が、前記記録可能な容量に達する日を計算し、表示することを特徴とする放送記録装置。
【請求項６】
請求項１に記載の放送記録装置において、
前記再生推薦部は、推薦ポイントの高い順にリストを作成することを特徴とする放送記録装置。
【請求項７】
チューナ部で復調した複数の番組信号をそれぞれ複数のタイトルで管理して記録し、
記録した前記番組信号を再生する再生し、
記録傾向及び再生傾向で示される嗜好情報を生成し、
生成された前記嗜好情報に基づいてタイトル毎に推奨値を算出し、前記推奨値が所定値以上であり、かつ、前記推奨値が一番高いタイトルに対し所定の表示を付加した表示を行うことを特徴とする放送記録方法。
【発明の詳細な説明】
【技術分野】
【０００１】
この発明は、放送記録装置に関し、特にユーザの予約時・再生時の嗜好を検出しこれを反映させて記録済みの番組タイトルの再生を推薦表示する放送記録装置及び放送記録方法に関する。
【背景技術】
【０００２】
一般的に、ハードディスクレコーダ等の放送記録装置においては、多数の番組を記録し再生することが可能となってきたために、多くの記録済みの番組からどのようにユーザの嗜好にあった選択枝をユーザに提供できるかが課題となってきている。
【０００３】
例えば、特許文献１においては、おまかせ自動録画機能により、特定のフォルダに集約して記録することで、おまかせ自動録画機能により録画された番組をユーザが判別しやすくしている。
【特許文献１】特開２００６−３２４７８１公報
【発明の開示】
【発明が解決しようとする課題】
【０００４】
しかし上記した特許文献１では、おまかせ自動録画機能により録画された番組をユーザが判別し、特定のフォルダ内に記録された番組をユーザが選別して再生する必要がある。従って、特定のフォルダに大量に番組が録画された場合には、ユーザが所望する番組を探し出す作業が繁雑となる。
【０００５】
この発明は上記事情を考慮してなされたもので、録画済の大量の番組コンテンツからユーザの嗜好に最も適合した番組コンテンツのタイトルを推薦することができる放送記録装置及び放送記録方法を提供することを目的とする。
【課題を解決するための手段】
【０００６】
上記目的を達成するために、本発明の一態様によれば、放送信号を受信し、受信した放送信号を復調して番組信号を出力するチューナ部と、前記チューナ部からの複数の前記番組信号をタイトル毎に管理して記録する記録部と、前記記録部で記録した前記番組信号を再生する再生部と、前記記録部の記録処理による記録傾向及び前記再生部の再生処理による再生傾向で示される嗜好情報を生成する嗜好検出部と、前記嗜好検出部で生成された前記嗜好情報に基づいてタイトル毎に推奨値を算出し、前記推奨値が所定値以上であり、かつ、前記推奨値が一番高いタイトルに対し所定の表示を付加した表示を行う再生推薦部と、を具備することを特徴とする放送記録装置が提供される。
【０００７】
また、チューナ部で復調した複数の番組信号をそれぞれ複数のタイトルで管理して記録し、記録した前記番組信号を再生する再生し、記録傾向及び再生傾向で示される嗜好情報を生成し、生成された前記嗜好情報に基づいてタイトル毎に推奨値を算出し、前記推奨値が所定値以上であり、かつ、前記推奨値が一番高いタイトルに対し所定の表示を付加した表示を行うことを特徴とする放送記録方法が提供される。
【発明の効果】
【０００８】
上記した構成により、録画処理や再生処理等の操作履歴の傾向に応じて、録画済のコンテンツから推薦すべきタイトルを表示することが可能な放送記録装置及び放送記録方法を提供できる。
【発明を実施するための最良の形態】
【０００９】
以下、この発明の実施の形態について図面を参照して詳細に説明する。
【００１０】
図１は、本発明の一実施形態に係る放送記録装置の構成の一例を示すブロック図である。放送記録装置１０は、２種類のディスクドライブ部を有する。まず、ビデオファイルを構築できる情報記録媒体である第１のメディアとしての光ディスクＤを回転駆動し、情報の読み書きを実行する光ディスクドライブ部１９を有する。また、第２のメディアとしてのハードディスクを駆動するハードディスクドライブ部１８を有する。制御部３０は、全体の動作を司るべくデータバスを介して各部に接続されている。
【００１１】
また放送記録装置１０は、録画側を構成するエンコーダ部２１と、再生側を構成するＭＰＥＧデコーダ部２３と、装置本体の動作を制御する制御部３０とを主たる構成要素としている。放送記録装置１０は、入力側のセレクタ１６と出力側のセレクタ１７とを有しており、入力側のセレクタ１６には、ＬＡＮ等の通信部１１と、衛星放送（ＢＳ／ＣＳ）チューナ部１２と、地上波チューナ部１３とが接続され、エンコーダ部２１に信号を出力する。また、ＢＳ／ＣＳチューナ部１２には衛星アンテナが、地上波チューナ部１３には地上波アンテナが接続されている。
【００１２】
さらに、放送記録装置１０は、エンコーダ部２１と、エンコーダ部２１の出力を受け、データ編集等の所望のデータ処理を行うデータ編集部２０、データ編集部２０に接続されるハードディスクドライブ部１８、光ディスクドライブ部１９を有している。また、放送記録装置１０は、ハードディスクドライブ部１８、光ディスクドライブ部１９からの信号を受けてデコードするＭＰＥＧデコーダ部２３と、エンコーダ部２１、バッファ部２２、ＭＰＥＧデコーダ部２３、多重化部２８、分離部２９、制御部３０、予約録画部・嗜好検出部・再生推薦部４２、予約リストや番組表画像を生成する番組表生成部４３、を有している。これらの各部は、データバスを介して制御部３０に接続されている。さらに、セレクタ部１７の出力は、外部の受像機４１に接続されるか、外部装置との通信を行うインタフェース部２７を介して、外部装置に供給される。
【００１３】
さらに、放送記録装置１０は、データバスを介して制御部３０に接続され、ユーザの操作やリモコンＲの操作を受ける操作部３２を有している。ここで、リモコンは、放送記録装置１０の本体に設けられる操作部３２とほぼ同等の操作を可能とするものであり、ハードディスクドライブ部１８や光ディスクドライブ部１９の記録再生指示や、編集指示、また、チューナの操作、予約録画の設定等、各種設定が可能である。
【００１４】
以上のような構成の放送記録装置１０において、光ディスクに例を取って、再生処理と記録処理の概要を説明する。
【００１５】
制御部３０の制御下において、所定速度に回転される光ディスクＤは、レーザ光が照射されその反射光が光ピックアップにより検出され、これに基づく検出信号が出力される。この検出信号に基づいて、ＲＦ信号が生成され、データの読取処理に続いて再生処理が行われる。
【００１６】
また、光ディスクの記録処理は、制御部３０の制御下において、例えば図示しない入力部を介しセレクタ部１６を介して供給されたデータは、エンコーダ部２１に供給され、コード化されて出力される。このコード化出力と制御部３０の出力に応じて、レーザドライバの駆動電流が光ピックアップに供給され、光ディスクＤの記憶領域に照射することで、記録処理が行われるものである。
【００１７】
ＬＡＮ等の通信部１１は、外部機器と接続して、例えばモデムＭ等を介しインターネット等の通信路を経由して番組情報提供サーバＳ等と通信を行ったり、コンテンツ情報等をダウンロードしたりする。また、ＢＳ／ＣＳチューナ部１２、地上波チューナ部１３は、アンテナを介して放送信号を選局し復調して映像信号及び音声信号を入力するもので、広範な種類の放送信号に対応する。例えば、地上波アナログ放送、地上波デジタル放送、ＢＳアナログ放送、ＢＳデジタル放送、ＣＳデジタル放送等に及ぶものであり、これに限るものではない。また、必ずしも一つだけを設けるものではなく、例えば、地上波アナログ放送のチューナ部や、ＢＳ／ＣＳチューナ部を２つまたは３つ以上を有し、予約録画の要求に応じて平行して機能させる場合も含んでいる。
【００１８】
また、先の通信部１１は、ＩＥＥＥ１３９４インタフェースであってもよく、ネットワーク上の外部機器からデジタルコンテンツを受けることが可能である。また、図示しない入力端部から、輝度信号や色差信号、コンポジット等の映像信号、音声信号を受けることも可能である。これらは、制御部３０等で制御されるセレクタ１６により、入力が制御されて、エンコーダ部２１に選択的に供給される。
【００１９】
エンコーダ部２１は、セレクタ１６により入力されたアナログビデオ信号やアナログオーディオ信号をデジタル化するビデオ用及びオーディオ用のアナログデジタルコンバータと、ビデオエンコーダと、オーディオエンコーダとを有する。さらに、副映像エンコーダも含む。エンコーダ部２１の出力は、所定のＭＰＥＧ等の圧縮フォーマットに変換され、先の制御部３０に供給される。
【００２０】
また、ＢＳ／ＣＳチューナ１２等は、必ずしも内蔵されている必要はなく、データ入力端子を介して外付けされて、受信したデジタル信号をセレクタ部１６を介してエンコーダ部２１や制御部３０に供給することも好適である。
【００２１】
ここで図１の装置は、エンコーダ部２１でエンコードされた情報（ビデオ、オーディオ、副映像データなどのパック）及び作成された管理情報を、制御部３０を介してハードディスクドライブ部１８または光ディスクドライブ部１９に供給し、ハードディスクドライブ部１８、または、光ディスクＤに記録することができる。また、ハードディスクドライブ部１８、または、光ディスクＤに記録された情報を、制御部３０、光ディスクドライブ部１９を介して光ディスクＤ、または、ハードディスクドライブ部１８に記録することもできる。
【００２２】
またデータ編集部２０により、ハードディスクドライブ部１８または光ディスクＤに記録されている複数番組のビデオ・オブジェクトを、一部削除したり、異なる番組のオブジェクトをつなげたり、といった編集処理を行うこともできる。
【００２３】
ＭＰＥＧデコーダ部２３は、デコードされた主映像にデコードされた副映像を適宜合成し、主映像にメニュー、ハイライトボタン、字幕やその他の副映像を重ねて出力するビデオプロセッサを備えている。
【００２４】
ＭＰＥＧデコーダ部２３の出力オーディオ信号は、セレクタ部１７を介して図示しないデジタルアナログ変換器でアナログ変換されてスピーカに供給されるか、Ｉ／Ｆ部２７を介して外部装置に供給される。セレクタ部１７は、制御部３０からのセレクト信号により制御される。これによりセレクタ部１７は、各チューナ部１２，１３からのデジタル信号を直接モニタする時、エンコーダ部２１をスルーした信号を直接選択することも可能である。
【００２５】
また、通信部１１等から取得した電子番組情報に基づいて、ユーザのリモコンＲ等の操作により特定した番組に応じて、録画予約処理が可能である。予約された予約録画情報に基づいて、制御部３０及び予約録画部４２の働きにより、予約時刻になると、ＢＳ／ＣＳチューナ部１２または地上波チューナ部１３が受信した番組情報が復調された映像音声信号が、エンコーダ２１等のエンコード処理を経て、例えば、ハードディスクドライブ１８に記録（予約録画）される。
【００２６】
この実施形態の放送記録装置１０は、このように総合的な機能を有するものであり、多くのソースに対して光ディスクＤまたはハードディスクドライブ部１８による記録・再生処理を行うものである。次に、この放送記録装置１０の予約録画処理について、図面を用いて詳細に説明する。
【００２７】
次に、この放送記録装置１０の特に嗜好検出結果を用いた再生タイトル推薦機能をフローチャートを用いて以下に詳細に説明する。
【００２８】
なお、本発明に係る再生タイトル推薦機能とは、予約処理・再生処理の操作履歴に現れるユーザの嗜好を考慮して、記録済みのタイトルから再生推薦タイトルをリスト表示することで、ユーザは興味がある番組を容易に見つけることができる機能である。また、その中で所定の条件（例えば、所定ポイント以上で、かつ一番ポイントの高いタイトル）を満たしたタイトルには、「一押」等の表示を付加する機能である。
【００２９】
図２は、本発明の一実施形態に係る放送記録装置において、再生推薦のアイコン表示の動作の一例を示すフローチャートである。
【００３０】
図１の予約録画部・嗜好検出部・再生推薦部４２によって、予約録画の際の選択されるタイトルの録画傾向と、ユーザにより再生が選択されるタイトルの再生傾向とから、嗜好データベースを生成する（ステップＳ１０１）。
【００３１】
具体的には、図３に示すように、予約録画部・嗜好検出部・再生推薦部４２によって、予約録画の際の選択されるタイトルの録画傾向や、ユーザにより再生が選択されるタイトルの再生傾向として、図３のように、録画予約の際（または再生処理の際）に用いられた単語、“音楽”等に例えば３ポイントを与える。同様に、図４のように、録画予約の際（または再生処理の際）に用いられたジャンルを識別する単語、“邦楽”等に例えば２０ポイントを与える。すなわち、ユーザの操作情報として、タイトル名やタイトルの詳細内容からの単語やジャンルについて、ポイントを加算することで、そのユーザが何を望んでいるかを意味する嗜好データベースを生成するものである。なお、予約録画を例に説明したが、予約録画に限らず、現在放映中の番組をリモコン操作等によって録画した場合のタイトルについても、嗜好のサンプルとしてデータベース化する。
【００３２】
次に、操作部３２等により推薦表示モードが選択されていれば（ステップＳ１０２）、予約録画部・嗜好検出部・再生推薦部４２によって、タイトルの推薦ポイントの計算処理がなされる。
【００３３】
すなわち、予約録画部・嗜好検出部・再生推薦部４２によって、現在、ハードディスクドライブ部１８等により保存されている複数のタイトルについて、上述した嗜好データベースに基づいて判断することにより、各タイトルの推薦ポイントを計算する（ステップＳ１０３）。例えば、一つのタイトルは、図５に示すように、タイトルＩＤ、タイトル名、詳細内容、ジャンル、録画時間、番組時間、総視聴時間等の情報をもっている。
【００３４】
ここで、図６を用いて、各タイトルの推薦ポイントの計算方法の一例を説明する。図６において、嗜好検出部・再生推薦部４２の働きにおいて、推薦ポイントを“０”として初期化する（ステップＳ２０１）。そして、再生度計算が開始される（ステップＳ２０２）。嗜好検出部４２の働きにより行なわれる再生度の計算とは、分母を「番組の放送時間（ＥＰＧ上）」と「実際の録画時間」の短い方、分子をタイトルの「総視聴時間」とする割合であらわすものである。例えば、放送予定６０分の番組が野球延長機能のために９０分録画され、そのタイトルのこれまでの総視聴時間が３０分であるとすると、再生度は３０分/６０分なので５０％の評価となる。
【００３５】
次に、この再生度が一定（例えば４０％）以上であると判断されれば（ステップＳ２０３）、予約録画等により与えられたタイトル情報の推薦ポイントを計算する。すなわち、ジャンルデータベースからジャンルの嗜好ポイントを取得し、推薦ポイントとして加算する（ステップＳ２０４）。また、タイトル名から単語を一つだけ抽出して（ステップＳ２０５）、嗜好データベース中に単語登録があるかどうかを判断する（ステップＳ２０６）。存在すれば、嗜好データベースからポイント数を例えば３ポイント等と取得し（ステップＳ２０７）、単語のポイントを推薦ポイントとして加算する（ステップＳ２０８）。そして、タイトル名の文末に達するまでこの処理を反復する（ステップＳ２０９）。また、番組内容についても、タイトル名と同様の方法によって、ポイントを加算して、そのタイトルの推薦ポイントを図５のＮｏ．１０のように、例えば１００ポイント等のように算出するものである（ステップＳ２１０）。
【００３６】
一方、図７のフローチャートのように再生度の高い順に計算する方法も可能である。すなわち、嗜好検出部・再生推薦部４２の働きにおいて、推薦ポイントを“０”として初期化して（ステップＳ３０１）、再生度計算が開始される（ステップＳ３０２）。嗜好検出部４２の働きにより行なわれる再生度の計算とは、分母を「番組の放送時間（ＥＰＧ上）」と「実際の録画時間」の短い方、分子をタイトルの「総視聴時間」とする割合であらわすものである。例えば、放送予定６０分の番組が野球延長機能のために９０分録画され、そのタイトルのこれまでの総視聴時間が３０分であるとすると、再生度は３０分／６０分なので５０％の評価となる。次に、この再生度が一定（例えば４０％）以上であると判断されれば（ステップＳ３０３）、推薦ポイントを再生度として決定するものである（ステップＳ３０４）。
【００３７】
最後に推薦タイトル表示方法であるが、以下に述べるように様々な方法が可能となる。すなわち、このように求めた各タイトルの推薦ポイントに応じて、推薦ポイントの高さに応じて順序を変更して表示する（図２：ステップＳ１０４）。さらに、例えば、予め定めた推薦ポイントと比較し、この値以上の推薦ポイントをもつタイトルを含むフォルダ状のアイコンを表示する場合、例えば「一押」等のアイコンを付加して表示する。また、新たなタイトルが録画されると、「ＮＥＷ」タイトルのサムネイルを表示する。
【００３８】
一例として、図１３のフォルダ状のアイコン一覧において、上述した「一押」に該当するタイトルが含まれるフォルダには、「一押」のアイコンを付加して表示する（一番右上のフォルダ）。また、図１４に示すように、タイトルのサムネイル表示は、推薦ポイントの高さに応じた順序でタイトルを表示しており、予め定めた所定値以上でかつ一番推奨ポイントが高いタイトルが先頭に表示され、「一押」のアイコンを付加して表示する。タイトルのサムネイル表示の表示が完了すると、ユーザが新たに録画されたタイトルを認識したと判別して、上述した「ＮＥＷ」の表示を消去する（後述）。
【００３９】
この表示方法においては、以下のような様々な変形例が可能である。  
すなわち、上記の場合とは逆に、再生度の低い（例：１０％未満）タイトルのみを推薦することも好適である。こうすることで、ユーザが視聴し残しているものを効率的に視聴することができる。
【００４０】
また、再生度が一定以上のタイトルを、再生度の高い順に表示する、つまりよく見るタイトルを全面に出すという方法も好適である。
【００４１】
また、推薦対象のタイトルを、自動削除が設定されているタイトルに限定することも好適である。こうすることで、削除されてしまうタイトルに視聴の機会を積極的に与えることができる。
【００４２】
また、最終アクセス時間（最後に録画や再生、編集などのタイトルに対する操作を行ってからの経過時間）を考慮して推薦を行っても良い。すなわち、最終アクセス時間が長いものは忘れられている危険があるため、優先的に表示させることで、ユーザが見逃すことが内容に再生を推薦するものである。
【００４３】
また、上記のいずれかの推薦ポイントの計算を行い、その推薦ポイントの高い順に番組リストを作成することも好適である。  
ここで、シリーズの一部を推薦する場合、まだ見ていないシリーズはまとめて１タイトル（シリーズ）として推薦することが好適である。  
また、まだ見ていないシリーズは第１話のタイトルを推薦することも好適である。
【００４４】
また、途中まで見たシリーズは次回の話数のタイトルを推薦することも好適である。
【００４５】
また、推薦のポイント計算、または、推薦タイトルとしてシリーズの概念を考慮して処理を行なうことも好適である。
【００４６】
また、タイトルの推薦の表示形式として、  
図１３に示すように、フォルダ状のアイコンを選択すると、図１４に示すように、再生の推薦ポイントの例えば高い順にリストを表示することが好適である。また、例えば、推薦ポイントが９０ポイント（所定ポイント）以上でかつ一番高いポイント（例えば９５ポイント）のタイトルには、例えば「一押」の表示を付加する（当然に、一番推奨ポイントが高いタイトルは、先頭に表示される。図１４参照）。なお、「一押」のタイトルが分類されているフォルダをフォルダ状のアイコンで表示する場合、このフォルダ状のアイコンにも「一押」の表示を付加する（図１３参照）。
【００４７】
また、例えば図１６に示すように、おまかせ録画によって記録されるフォルダ（例えば「お楽しみ番組」フォルダ）には、容量を設定することができる。例えば、１００ＧＢと設定することで、おまかせ録画によって記録されるタイトルで、レコーダの容量が溢れてしまうことを防止できる。レコーダの残り容量と、録画予約の録画に必要な容量とを比較して計算することにより、おまかせ録画によって記録されるフォルダが一杯になる予想日を算出して表示することができる（後述）。なお、アイコンに付加する表示の一覧データとしては、例えば図１５に示すように、「ＮＥＷ」、「一押」、「一杯」等が挙げられる。
【００４８】
また、図１４の再生推薦リストから、ユーザの操作によりこれらのタイトルを選択することで、制御部３０等の働きによりタイトルの再生を開始する。
【００４９】
次に、本発明の実施形態に係る放送記録装置を適用した放送記録方法について、図８〜図１２のフローチャートを参照して説明する。
【００５０】
図８は、自動録画時の処理について説明したフローチャートである。
【００５１】
予約録画部・嗜好検出部・再生推薦部４２によって、自動録画が実行されると（ステップＳ４０１）、新たなタイトルが録画されたことにより、新たなタイトルが分類されたフォルダの属性の「ＮＥＷ」のフラグを「０」から「１」に変更する（ステップＳ４０２）。予約録画部・嗜好検出部・再生推薦部４２は、録画されたタイトルの推薦ポイントが一押しタイトルであるか否かを判別する（ステップＳ４０３）。録画されたタイトルの推薦ポイントが、所定値以上で、かつ録画されたタイトルの中で一番推薦ポイントが高い場合は、一押しタイトルであると判別され（ステップＳ４０３のＹＥＳ）、一押しタイトルが分類されたフォルダの属性の「Ｉｃｈｉｏｓｈｉ」のフラグを「０」から「１」に変更する（ステップＳ４０４）。
【００５２】
次に図９は、録画されたタイトルの再生、削除時の一押しタイトルの更新処理を説明したフローチャートである。
【００５３】
予約録画部・嗜好検出部・再生推薦部４２は、上述した嗜好学習処理を行い（ステップＳ５０１）、録画された各タイトルの推薦ポイントを再計算する（ステップＳ５０２）。予約録画部・嗜好検出部・再生推薦部４２は、録画されたタイトルの再生や削除が行われた後に、一押しタイトルが存在するかを判別する（ステップＳ５０３）。推薦ポイントが所定値以上のタイトルが存在する場合、一押しタイトルが存在すると判別され（ステップＳ５０３のＹＥＳ）、一押しタイトルが分類されているフォルダの属性の「Ｉｃｈｉｏｓｈｉ」のフラグを「０」から「１」に変更する（ステップＳ５０４）。
【００５４】
次に図１０は、フォルダの表示処理を説明するフローチャートである。
【００５５】
予約録画部・嗜好検出部・再生推薦部４２は、フォルダ状のアイコン内にイメージデータを表示する（ステップＳ６０１）。例えば図１３に示すように、「私のフォルダ」のアイコン内には、フィルムのイラストを表示し、「お楽しみフォルダ」のアイコン内には、ロボットのイラストを表示する。次にフォルダ内の属性の「ＮＥＷ」のフラグが「１」であるかを判別する（ステップＳ６０２）。「ＮＥＷ」のフラグが「１」である場合は（ステップＳ６０２のＹＥＳ）、フォルダ内に「ＮＥＷ」の表示を付加する（ステップＳ６０３：図１３参照）。さらにフォルダ内の属性の「Ｉｃｈｉｏｓｈｉ」のフラグが「１」であるかを判別する（ステップＳ６０４）。「Ｉｃｈｉｏｓｈｉ」のフラグが「１」である場合は（ステップＳ６０４のＹＥＳ）、フォルダ内に「一押」の表示を付加する（ステップＳ６０５：図１３参照）。予約録画部・嗜好検出部・再生推薦部４２は、フォルダサイズが指定された容量の最大値を超えたかを判別する（ステップＳ６０６）。例えば、自動録画の記録先である「お楽しみフォルダ」が１００ＧＢの容量に設定（指定）されている場合、これから先に自動録画されるタイトルの録画容量を計算して、設定されている１００ＧＢの容量と比較する。予約録画部・嗜好検出部・再生推薦部４２は、フォルダサイズが指定された容量の最大値を超えたと判別すると（ステップＳ６０６のＹＥＳ）、フォルダ状のアイコンに「一杯」の表示を付加して表示する（ステップＳ６０７）。一方、予約録画部・嗜好検出部・再生推薦部４２は、フォルダサイズが指定された容量の最大値を超えていないと判別すると（ステップＳ６０６のＮＯ）、フォルダの設定された容量が一杯になる（推測）日を表示する（ステップＳ６０８）。なお、これから先に自動録画されるタイトルの録画容量を計算して、設定されている１００ＧＢの容量に満たない場合は、フォルダの設定された容量が一杯になる（推測）日は確定してないので、「２週間以上先」等の表示を行う。
【００５６】
次に図１１は、フォルダ内の表示（図１４）を閉じる際の処理を説明するフローチャートである。
【００５７】
予約録画部・嗜好検出部・再生推薦部４２は、図１４に示すように、フォルダ内のタイトルのサムネイルを表示する場合、新しいタイトルをすべて表示したか否かを判別する（ステップＳ７０１）。１画面にすべて表示されている場合は、タイトルのサムネイルを表示した時点ですべてのタイトルのサムネイルを表示することになるが、例えば、タイトルが７個以上ある場合等には１画面に表示できないので、画面下のボタンの「前」や「次」のボタンを押下することによるスクロール処理が必要になる。ステップＳ７０１で、新しいタイトルをすべて表示したと判別された場合は（ステップＳ７０１のＹＥＳ）、「ＮＥＷ」のフラグを「１」から「０」に変更する（フォルダ状のアイコンに付加して表示されていた「ＮＥＷ」の表示は削除される）。次に予約録画部・嗜好検出部・再生推薦部４２は、一押しタイトルがすべて表示されたか否かを判別する（ステップＳ７０３）。なお、一押しタイトルは、先頭に表示されるので、タイトルのサムネイルを表示した時点ですべてのタイトルのサムネイルを表示することになる。予約録画部・嗜好検出部・再生推薦部４２によって、一押しタイトルがすべて表示されたと判別すると（ステップＳ７０３のＹＥＳ）、「Ｉｃｈｉｏｓｈｉ」のフラグを「１」から「０」に変更し（フォルダ状のアイコンに付加して表示されていた「一押」の表示は削除される）、フォルダ内表示を閉じ（ステップＳ７０５）、フォルダ一覧の図１３の表示に遷移する。
【００５８】
次に図１２は、自動録画前の自動削除の処理を説明するフローチャートである。
【００５９】
予約録画部・嗜好検出部・再生推薦部４２は、（録画に使用されるであろう容量）＋（現在のフォルダ容量）が指定（設定）された最大のサイズよりも大きいかを判別する（ステップＳ８０１）。予約録画部・嗜好検出部・再生推薦部４２によって、（録画に使用されるであろう容量）＋（現在のフォルダ容量）が指定（設定）された最大のサイズよりも大きいと判別された場合は（ステップＳ８０１のＹＥＳ）、フォルダ内の自動削除が有効であり、かつ最も古いタイトルを１つ削除する（ステップＳ８０２）。なお、フォルダ内の自動削除は、予め図１６に示すように、設定画面で設定することができる。
【００６０】
以上、本実施形態によれば、録画済の大量の番組コンテンツからユーザの嗜好に最も適合した番組コンテンツのタイトルを推薦することができる。また、新たに録画されてユーザが確認していないタイトルがあれば、その旨の表示を行うことによりユーザが認知しやすくできる。さらに、指定されたフォルダの容量が一杯になる日を予測することで、ユーザが録画したいタイトルが容量不足で録画できない事態を防止することができる。
【００６１】
また、本発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【図面の簡単な説明】
【００６２】
【図１】本発明の一実施形態に係る放送記録装置の構成の一例を示すブロック図。
【図２】本発明の一実施形態に係る放送記録装置において、再生推薦のアイコン表示の動作の一例を示すフローチャート。
【図３】本発明の一実施形態に係る放送記録装置において、タイトルのデータベースのデータ構造の一例を示す説明図。
【図４】本発明の一実施形態に係る放送記録装置において、嗜好データベースのタイトルのデータ構造の一例を示す説明図。
【図５】本発明の一実施形態に係る放送記録装置において、ジャンルデータベースのデータ構造の一例を示す説明図。
【図６】本発明の一実施形態に係る放送記録装置において、ユーザ嗜好に応じた各タイトルの再生推薦ポイント計算方法の一例を示すフローチャート。
【図７】本発明の一実施形態に係る放送記録装置において、再生度に応じた各タイトルの再生推薦ポイント計算方法の一例を示すフローチャート。
【図８】本発明の一実施形態に係る放送記録装置において、自動録画時の処理について説明したフローチャート。
【図９】本発明の一実施形態に係る放送記録装置において、録画されたタイトルの再生、削除時の一押しタイトルの更新処理を説明したフローチャート。
【図１０】本発明の一実施形態に係る放送記録装置において、フォルダの表示処理を説明したフローチャート。
【図１１】本発明の一実施形態に係る放送記録装置において、フォルダ内表示を閉じるときの処理を説明したフローチャート。
【図１２】本発明の一実施形態に係る放送記録装置において、自動録画前の自動削除の処理を説明するフローチャート。
【図１３】本発明の一実施形態に係る放送記録装置において、フォルダ一覧の一例を示した模式図。
【図１４】本発明の一実施形態に係る放送記録装置において、タイトルサムネイル表示の一例を示した模式図。
【図１５】本発明の一実施形態に係る放送記録装置において、付加表示のテーブルを示した模式図。
【図１６】本発明の一実施形態に係る放送記録装置において、設定画面の一例を示した模式図。
【符号の説明】
【００６３】
１１…通信部、１２…ＢＳ／ＣＳチューナ部、１３…地上波チューナ部、１８…ハードディスクドライブ部、１９…光ディスクドライブ部、２０…データ編集部、２１…エンコーダ部、２２…バッファ部、２３…ＭＰＥＧデコーダ部、２４…音声映像処理部、２６…ディスプレイ、２７…Ｉ／Ｆ部、２８…多重化部、２９…分離部、３０…制御部、３２…操作部、３３…表示部、Ｒ…リモコン、４２…予定録画部・再生推薦部、４３…番組表生成部。
【図１】
2008205623.tif 000003
【図２】
2008205623.tif 000004
【図３】
2008205623.tif 000005
【図４】
2008205623.tif 000006
【図５】
2008205623.tif 000007
【図６】
2008205623.tif 000008
【図７】
2008205623.tif 000009
【図８】
2008205623.tif 000010
【図９】
2008205623.tif 000011
【図１０】
2008205623.tif 000012
【図１１】
2008205623.tif 000013
【図１２】
2008205623.tif 000014
【図１３】
2008205623.tif 000015
【図１４】
2008205623.tif 000016
【図１５】
2008205623.tif 000017
【図１６】
2008205623.tif 000018